(57)【特許請求の範囲】
【請求項１】
内部導体である芯線と、当該芯線の外周面を包囲しながら当該芯線の長手方向に延長する内部被覆と、当該内部被覆の外周面を包囲しながら前記長手方向に延長するシールド部材と、当該シールド部材の外周面を包囲しながら前記長手方向に延長する外部被覆と、を備え且つ前記長手方向の一端部において、前記芯線、前記内部被覆、及び前記シールド部材それぞれの一端部が露出されたシールド電線と、
当該シールド電線の前記一端部に取り付けられた導電性金属製の端子本体と、
を備えたシールド電線付きコネクタ端子であって、
前記端子本体は、
前記シールド電線の前記一端部で前記芯線に電気的に接続された、相手方端子に前記芯線を電気的に接続するための導電性金属製の芯線導通端子と、
当該芯線導通端子が前記芯線に電気的に接続した状態で当該芯線と伴に貫通し且つその内部に係止される貫通孔が形成された絶縁部材と、
当該絶縁部材に外嵌し且つ前記芯線導通端子の周囲を包囲しながら前記芯線導通端子を、前記絶縁部材を介して支持する円筒部が一端部に設けられ、前記シールド電線の前記一端部で前記シールド部材を加締めるシールド部材加締部が他端部に設けられ、且つ前記シールド部材に電気的に接続される導電性金属製のシールド端子と、
を有し、そして
前記長手方向の、前記円筒部の中間部には、一対のスリットが当該円筒部の周方向に沿って且つ前記長手方向で互いに離間するように形成され、当該一対のスリットを当該長手方向に沿って架け渡すように切れ目部が形成され、
当該一対のスリット及び当該切れ目部により前記円筒部の中間部に絶縁部材加締部が形成されており、そして
当該絶縁部材加締部は、前記絶縁部材を前記円筒部内に固定するように、前記円筒部の内側に曲げられている
ことを特徴とするシールド電線付きコネクタ端子。
【請求項２】
前記シールド端子は、所定の形状を有した板材が内側に曲げられることにより成形されており、前記切れ目部は、当該板材の両縁部に位置する側面が対峙するように配置されることで形成されている
ことを特徴とする請求項１に記載のシールド電線付きコネクタ端子。
【請求項３】
内部導体である芯線と、当該芯線の外周面を包囲しながら当該芯線の長手方向に延長する内部被覆と、当該内部被覆の外周面を包囲しながら前記長手方向に延長するシールド部材と、当該シールド部材の外周面を包囲しながら前記長手方向に延長する外部被覆と、を備え、且つ前記長手方向の一端部において、前記芯線、前記内部被覆、及び前記シールド部材それぞれの一端部が露出されたシールド電線を用意するシールド電線用意工程と、
前記シールド電線の前記一端部で前記芯線に電気的に接続された、相手方端子に前記芯線を電気的に接続するための導電性金属製の芯線導通端子と、
当該芯線導通端子が前記芯線に電気的に接続した状態で当該芯線と伴に貫通し且つその内部に係止される貫通孔が形成された絶縁部材と、
当該絶縁部材に外嵌し且つ前記芯線導通端子の周囲を包囲しながら前記芯線導通端子を、前記絶縁部材を介して支持する円筒部が一端部に設けられ、前記シールド電線の前記一端部で前記シールド部材を加締めるシールド部材加締部が他端部に設けられ、且つ前記シールド部材に電気的に接続される導電性金属製のシールド端子と、
を有し、そして
前記長手方向の、前記円筒部の中間部には、一対のスリットが当該円筒部の周方向に沿って且つ前記長手方向で互いに離間するように形成され、当該一対のスリットを当該長手方向に沿って架け渡すように切れ目部が形成され、当該一対のスリット及び当該切れ目部により絶縁部材加締部が形成されている端子本体を用意する端子本体用意工程と、
前記シールド電線の前記一端部で露出された前記芯線に前記芯線導通端子を導通接続する芯線導通端子接続工程と、
前記シールド端子の前記円筒部内に前記絶縁部材を挿入する絶縁部材挿入工程と、
前記芯線導通端子接続工程により前記シールド電線の前記一端部に接続された前記芯線導通端子を、当該絶縁部材挿入工程により前記絶縁部材が装着された前記シールド端子の内部に挿入して、前記絶縁部材の貫通孔の内部に当該芯線導通端子を係止すると共に、前記シールド電線の前記一端部で露出された前記シールド部材を前記シールド端子の前記シールド部材加締部に配置する芯線導通端子挿入工程と、
当該芯線導通端子挿入工程により得られた組上状態において、前記端子本体の前記絶縁部材加締部と前記シールド部材加締部とを同時に、所定の工具を用いて前記シールド端子の内側に曲げて加締める加締工程と、
を備える
ことを特徴とするシールド電線付きコネクタ端子の製造方法。
【発明の詳細な説明】
【技術分野】
【０００１】
本発明は、相手方端子の接続に使用されるシールド電線付きコネクタ端子に関し、特に、部品形状を簡素にしながらも、端子本体の内部でのインピーダンスの乱れを無くして、高周波特性を向上させることのできるシールド電線付きコネクタ端子に関する。
【背景技術】
【０００２】
図６は従来のシールド電線付きコネクタ端子の分解斜視図であり、図７は図６に示したシールド電線付きコネクタ端子の組立状態の縦断面図である。
なお、ここに示したシールド電線付きコネクタ端子１０１は、下記特許文献１に開示された構成のものであり、またシールド電線の一種である同軸ケーブル１を相手方端子（不図示）にコネクタ接続するために、この同軸ケーブル１の一端部に端子本体１０３が接続された構成になっている。
【０００３】
同軸ケーブル１は、図６に示すように、内部導体である中心導体（芯線）１１と、この中心導体１１の外周面を包囲しながらこの中心導体１１の長手方向に延長する絶縁物（内部被覆）１３と、シールド部材としてこの絶縁物１３の外周面を包囲しながらその長手方向に延長する外部導体１５と、この外部導体１５の外周面を包囲しながらその長手方向に延長する絶縁外皮（外部被覆）１７と、を備えて構成されている。そして、その長手方向の一端部（先端部）において、中心導体１１、絶縁物１３、外部導体１５、及び絶縁外皮１７のそれぞれの一端部が露出されている。
【０００４】
一方、端子本体１０３は、図６に示すように、一端部に中心導体加締部１１１ａを有して同軸ケーブル１の一端部で中心導体１１に電気的に接続された、相手方端子に中心導体１１を電気的に接続するための導通性金属製の中心導体導通端子（芯線導通端子：一般的に「中心コンタクト」と呼ばれる）１１１と、この中心導体導通端子１１１が中心導体１１に電気的に接続した状態でこの中心導体１１と伴に貫通し且つ係止される貫通孔１１５ａが形成された絶縁部材（絶縁部材：例えば、ポリエチレン等による発泡誘電体）１１５と、この絶縁部材１１５に外嵌し且つ中心導体導通端子１１１の周囲を包囲しながらこの中心導体導通端子１１１を、絶縁部材１１５を介して支持する円筒部１１３ｃが一端部に設けられ、同軸ケーブル１の一端部で外部導体１５を加締めるための外部導体加締部（シールド部材加締部）１１３ａ及び絶縁外皮１７を加締めるための絶縁外皮加締部（外部被覆加締部）１１３ｂが他端部で連設され、且つこの外部導体１５に電気的に接続される導電性金属製のシールド端子１１３と、備えている。
なお、同軸ケーブル１の一端部で露出された中心導体１１と中心導体導通端子１１１との接続部、即ち中心導体１１の加締め状態にある中心導体加締部１１１ａは、その外周を熱収縮性チューブ１１７により密着状態で覆われており、また絶縁部材１１５により、シールド端子１１３内に挿入された中心導体導通端子１１１とシールド端子１１３の間に所定の誘電率が確保されることになる。
【０００５】
このとき、シールド端子１１３の円筒部１１３ｃに装着される絶縁部材１１５は、円筒部１１３ｃから脱落しないように、円筒部１１３ｃ内に確実に固定される必要がある。
そこで、従来では、絶縁部材１１５の外周部に、前方（図中左方）への移動を規制するための段部１１５ｂ（図６参照）と、後方（図中右方）への移動を規制するための段部１１５ｃ（図７参照）とが設けられおり、これに対応して、円筒部１１３ｃの内周面には、それぞれの段部１１５ｂ，１１５ｃに係止して絶縁部材１１５の移動を規制するための係止片１１３ｄが設けられている。
なお、図７は、円筒部１１３ｃの内周面に設けられた係止片１１３ｄが、絶縁部材１１５の段部１１５ｃに係止して、絶縁部材１１５の後方への移動が規制されている状態を示している。
【０００６】
【特許文献１】特開２００６−２４４９９号公報
【発明の開示】
【発明が解決しようとする課題】
【０００７】
しかしながら、シールド端子１１３内での絶縁部材１１５の移動を規制するために、絶縁部材１１５の外周に段部１１５ｂ，１１５ｃを形成し、加えて、シールド端子１１３の内周面に段部１１５ｂ，１１５ｃに対応した係止片１１３ｄが設けられた従来のシールド電線付きコネクタ端子１０１では、この段部１１５ｂ，１１５ｃ、及び係止片１１３ｄがインピーダンスの乱れを招き、これにより、接続される同軸ケーブル１の高周波特性を低下させてしまっていた。
さらに、段部１１５ｂ，１１５ｃ、及び係止片１１３ｄ等の形成のために、シールド端子１１３、及び絶縁部材１１５の構造が複雑化し、これらの部品の製造コストの増大を招いていた。
【０００８】
本発明は、前述した課題に鑑みてなされたものであり、その目的は、コネクタ端子の内部でのインピーダンスの乱れを無くして、高周波特性を向上させることができ、加えて、シールド端子及び絶縁部材の構造の簡素化を図って、これらの部品の製造コストを低減することのできるシールド電線付きコネクタ端子、並びにシールド電線付きコネクタ端子の製造方法を提供することにある。
【課題を解決するための手段】
【０００９】
本発明の前述した目的は、下記の構成により達成される。
（１）  内部導体である芯線と、当該芯線の外周面を包囲しながら当該芯線の長手方向に延長する内部被覆と、当該内部被覆の外周面を包囲しながら前記長手方向に延長するシールド部材と、当該シールド部材の外周面を包囲しながら前記長手方向に延長する外部被覆と、を備え且つ前記長手方向の一端部において、前記芯線、前記内部被覆、及び前記シールド部材それぞれの一端部が露出されたシールド電線と、
当該シールド電線の前記一端部に取り付けられた導電性金属製の端子本体と、
を備えたシールド電線付きコネクタ端子であって、
前記端子本体は、
前記シールド電線の前記一端部で前記芯線に電気的に接続された、相手方端子に前記芯線を電気的に接続するための導電性金属製の芯線導通端子と、
当該芯線導通端子が前記芯線に電気的に接続した状態で当該芯線と伴に貫通し且つその内部に係止される貫通孔が形成された絶縁部材と、
当該絶縁部材に外嵌し且つ前記芯線導通端子の周囲を包囲しながら前記芯線導通端子を、前記絶縁部材を介して支持する円筒部が一端部に設けられ、前記シールド電線の前記一端部で前記シールド部材を加締めるシールド部材加締部が他端部に設けられ、且つ前記シールド部材に電気的に接続される導電性金属製のシールド端子と、
を有し、そして
前記長手方向の、前記円筒部の中間部には、一対のスリットが当該円筒部の周方向に沿って且つ前記長手方向で互いに離間するように形成され、当該一対のスリットを当該長手方向に沿って架け渡すように切れ目部が形成され、
当該一対のスリット及び当該切れ目部により前記円筒部の中間部に絶縁部材加締部が形成されており、そして
当該絶縁部材加締部は、前記絶縁部材を前記円筒部内に固定するように、前記円筒部の内側に曲げられている
ことを特徴とするシールド電線付きコネクタ端子。
（２）  前記シールド端子は、所定の形状を有した板材が内側に曲げられることにより成形されており、前記切れ目部は、当該板材の両縁部に位置する側面が対峙するように配置されることで形成されている
ことを特徴とする上記（１）のシールド電線付きコネクタ端子。
（３）  内部導体である芯線と、当該芯線の外周面を包囲しながら当該芯線の長手方向に延長する内部被覆と、当該内部被覆の外周面を包囲しながら前記長手方向に延長するシールド部材と、当該シールド部材の外周面を包囲しながら前記長手方向に延長する外部被覆と、を備え、且つ前記長手方向の一端部において、前記芯線、前記内部被覆、及び前記シールド部材それぞれの一端部が露出されたシールド電線を用意するシールド電線用意工程と、
前記シールド電線の前記一端部で前記芯線に電気的に接続された、相手方端子に前記芯線を電気的に接続するための導電性金属製の芯線導通端子と、
当該芯線導通端子が前記芯線に電気的に接続した状態で当該芯線と伴に貫通し且つその内部に係止される貫通孔が形成された絶縁部材と、
当該絶縁部材に外嵌し且つ前記芯線導通端子の周囲を包囲しながら前記芯線導通端子を、前記絶縁部材を介して支持する円筒部が一端部に設けられ、前記シールド電線の前記一端部で前記シールド部材を加締めるシールド部材加締部が他端部に設けられ、且つ前記シールド部材に電気的に接続される導電性金属製のシールド端子と、
を有し、そして
前記長手方向の、前記円筒部の中間部には、一対のスリットが当該円筒部の周方向に沿って且つ前記長手方向で互いに離間するように形成され、当該一対のスリットを当該長手方向に沿って架け渡すように切れ目部が形成され、当該一対のスリット及び当該切れ目部により絶縁部材加締部が形成されている端子本体を用意する端子本体用意工程と、
前記シールド電線の前記一端部で露出された前記芯線に前記芯線導通端子を導通接続する芯線導通端子接続工程と、
前記シールド端子の前記円筒部内に前記絶縁部材を挿入する絶縁部材挿入工程と、
前記芯線導通端子接続工程により前記シールド電線の前記一端部に接続された前記芯線導通端子を、当該絶縁部材挿入工程により前記絶縁部材が装着された前記シールド端子の内部に挿入して、前記絶縁部材の貫通孔の内部に当該芯線導通端子を係止すると共に、前記シールド電線の前記一端部で露出された前記シールド部材を前記シールド端子の前記シールド部材加締部に配置する芯線導通端子挿入工程と、
当該芯線導通端子挿入工程により得られた組上状態において、前記端子本体の前記絶縁部材加締部と前記シールド部材加締部とを同時に、所定の工具を用いて前記シールド端子の内側に曲げて加締める加締工程と、
を備える
ことを特徴とするシールド電線付きコネクタ端子の製造方法。
【００１０】
上記（１）の構成によれば、長手方向の、円筒部の中間部に、一対のスリットが円筒部の周方向に沿って且つ長手方向で互いに離間するように形成され、一対のスリットを長手方向に沿って架け渡すように切れ目部が形成され、一対のスリット及び切れ目部により円筒部の中間部に絶縁部材加締部が形成される。これにより、円筒部に設けられた絶縁部材加締部が、所定の工具により円筒部の内側に曲げられ、絶縁部材の外周面の一部に食い込む。このため、絶縁部材加締部は、円筒部の内側に曲げられており、シールド端子の円筒部に装着される絶縁部材は、円筒部内に固定されることになる。即ち、絶縁部材自体には、円筒部からの抜け止めを防止するための段部を形成する必要なく、加えて、シールド端子の円筒部においても、その内周面に係止片等を突出形成する必要がない。このため、絶縁部材の外周面に段部が不要になり、また、シールド端子の円筒部の内周面に抜け止めを防止するため係止片を突設する必要もなくなり、これらの部品を径方向における形状変化の少ない簡素な構造にすることができるため、シールド端子の内部での誘電体や導体の径方向における形状変化に起因するインピーダンスの乱れを防止でき、高周波特性の向上を図ることができる。また、シールド端子及び絶縁部材を簡素な構造にできるため、これらの部品の加工や成形が容易になり、これらの部品の製造コストを低減させることもできる。
上記（２）の構成によれば、シールド端子は、所定の形状を有した板材を内側に曲げることにより形成されており、切れ目部は、この板材の両縁部に位置する側面が対峙するように配置されることで形成されている。このため、切れ目部を新たに形成する必要がなくなり、即ち、プレス加工によりシールド端子を成形して、このとき形成される合わせ目（両側面が対峙配置される部分）を切れ目部として利用して、この合わせ目に交差するように一対のスリットを形成するだけで、容易に絶縁部材加締部を形成することができる。これにより、製造コストを低減することができる。
上記（３）の構成によれば、シールド端子の円筒部に形成された絶縁部材加締部の加締工程は、シールド端子のシールド部材加締部を加締める際に同時に行うため、専用の加締工程を追加する必要がなくなる。したがって、製造工程が増えることがなく、生産性を向上させることができる。
【発明の効果】
【００１１】
本発明によれば、コネクタ端子の内部でのインピーダンスの乱れを無くして、高周波特性を向上させることができ、加えて、シールド端子及び絶縁部材の構造の簡素化を図って、これらの部品の製造コストを低減することのできるシールド電線付きコネクタ端子、並びにシールド電線付きコネクタ端子の製造方法を提供することができる。
【００１２】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１３】
以下、本発明に係るシールド電線付きコネクタ端子（以下、単にコネクタ端子ともいう。）の好適な実施形態について、図面を参照しながら説明する。
なお、本実施形態のシールド電線としては、芯線である中心導体が、内部被覆である絶縁物により被覆され、さらにこの絶縁物が、編組である外部導体（即ち、シールド部材）により覆われ、さらに外部導体が、外部からの衝撃などから内部を保護する絶縁外皮（即ち、外部被覆）により被覆された構造を有した同軸ケーブルを採用している。
【００１４】
ここで、図１は本発明に係るシールド電線付きコネクタ端子の一実施の形態の斜視図である。図２は図１のＡ−Ａ断面図である。図３は図１に示したシールド端子の単体での側面図である。図４は図３のＢ矢視図である。図５は図１に示したシールド電線付きコネクタ端子の組み立て方法の説明図である。
【００１５】
コネクタ端子２０は、シールド電線の一種である同軸ケーブル１を相手方端子（不図示）にコネクタ接続するために、この同軸ケーブル１の一端部に端子本体２０ａが接続された構成になっている。
【００１６】
同軸ケーブル１は、図６に示したものと略同一構造で良く、図５に示すように内部導体である中心導体（芯線）１１と、この中心導体１１の外周面を包囲しながらこの中心導体１１の長手方向に延長する絶縁物（内部被覆）１３と、シールド部材としてこの絶縁物１３の外周面を包囲しながらその長手方向に延長する編組の外部導体１５と、この外部導体１５の外周面を包囲しながらその長手方向に延長する絶縁外皮（外部被覆）１７と、を備えて構成されている。そして、その長手方向の一端部において、中心導体１１、絶縁物１３、外部導体１５、及び絶縁外皮１７のそれぞれの一端部が露出されている。
【００１７】
一方、端子本体２０ａは、所謂プラグ型端子（雄型コネクタ）であり、図５に示すように、一端部に中心導体加締部２１ａを有して同軸ケーブル１の一端部で中心導体１１に電気的に接続された、相手方端子に中心導体１１を電気的に接続するための導通性金属製の中心導体導通端子（芯線導通端子：一般的に「中心コンタクト」と呼ばれる）２１と、この中心導体導通端子２１が中心導体１１に電気的に接続した状態でこの中心導体１１と伴に貫通し且つ係止される貫通孔２５ａが形成された絶縁部材（絶縁部材：例えば、ポリエチレン等による発泡誘電体）２５と、この絶縁部材２５に外嵌し且つ中心導体導通端子２１の周囲を包囲しながらこの中心導体導通端子２１を、絶縁部材２５を介して支持する円筒部２３ｃが一端部に設けられ、同軸ケーブル１の一端部で外部導体１５を加締めるための外部導体加締部（シールド部材加締部）２３ａ及び絶縁外皮１７を加締めるための絶縁外皮加締部（外部被覆加締部）２３ｂが他端部で連設され、且つこの外部導体１５に電気的に接続される導電性金属製のシールド端子２３と、を備えている。
なお、同軸ケーブル１の一端部で露出された中心導体１１と中心導体導通端子２１との接続部、即ち中心導体１１の加締め状態にある中心導体加締部２１ａは、その外周を熱収縮性チューブ１１７により密着状態で覆われており、また絶縁部材２５により、シールド端子２３内に挿入された中心導体導通端子２１とシールド端子２３との間に所定の誘電率が確保されることになる。
【００１８】
また、シールド端子２３は、加工後、前述した円筒部２３ｃ、外部導体加締部２３ａ、及び絶縁外皮加締部２３ｂを得るための所定の形状を有した板材を、例えばプレス加工により内側に曲げられることにより成形されており、この結果、この曲げられた板材の両縁部に位置する側面が対峙する（合わさる）ように配置されることで、円筒部２３ｃが形成されることになる（図１及び図５参照）。また、このとき、この側面の合わせにより、円筒部２３ｃには、長手方向にわたって１本の切れ目部２３ｄが形成されることになる。
【００１９】
さらに、長手方向の、シールド端子２３の円筒部２３ｃの中間部には、この切れ目２３ｄを跨ぐように１対のスリット３１，３２が、例えばパンチ加工により長手方向で互いに離間するように形成されている。即ち、切れ目部２３ｄは、この一対のスリット３１，３２を長手方向に沿って架け渡しており、この一対のスリット３１，３２，及び切れ目部２３ｄにより絶縁部材加締部３４，３５が円筒部２３ｃの中間部に形成されることになる。そして、後述するように、絶縁部材加締部３４，３５は、絶縁部材２５を円筒部２３ｃ内に固定するように、円筒部２３ｃの内側に曲げられることになる。
【００２０】
シールド端子２３の円筒部２３ｃに装着される絶縁部材２５は、図３に示すように、外周に段部のない単純な厚肉円筒構造に形成されており、図１等に示すように、シールド端子２３に挿入された後、絶縁部材加締部３４，３５の加締めにより、円筒部２３ｃ内に固定されることになる。
【００２１】
次に、前述のように形成された、シールド端子２３の円筒部２３ｃの絶縁部材加締部３４，３５の加締めを行う方法について、図５を参照して、説明する。
まず、前述した、一端部において、中心導体１１、絶縁物１３、及び外部導体１５のそれぞれが露出された同軸ケーブル１を用意する（即ち、シールド電線用意工程）と共に、前述した、中心導体導通端子２１、絶縁部材２５、シールド端子２３を有した端子本体２０ａを用意する（即ち、端子本体用意工程）。
【００２２】
そして、同軸ケーブル１の一端部で露出された中心導体１１に中心導体導通端子２１を導通接続する中心導体導通端子接続工程（即ち、芯線導通端子接続工程）を実施して中心導体導通端子２１が一端に接続された同軸ケーブル１を製造する。なお、このとき、中心導体加締部２１ａの外周を熱収縮性チューブ１１７により密着状態で覆う。
一方、シールド端子２３の円筒部２３ｃ内に絶縁部材２５を挿入する（即ち、絶縁部材挿入工程）。
【００２３】
次に、同軸ケーブル１の一端部に接続された中心導体導通端子２１を、絶縁部材２５が装着されたシールド端子２３の内部に挿入して、絶縁部材２５の貫通孔に中心導体導通端子２１を係止すると共に、同軸ケーブル１の一端部で露出された外部導体１５をシールド端子２３の外部導体加締部２３ａに、そして絶縁外皮１７をシールド端子２３の絶縁外皮加締部２３ｂに、それぞれ配置する｛即ち、中心導体導通端子挿入工程（芯線導通端子挿入工程）｝。
【００２４】
そして、この結果得られたコネクタ端子２０の組上状態において、３つの加締用プレス型４１，４２，４３を有してこれらが同時に協動するプレス機を用いて、絶縁部材加締部３４，３５、外部導体加締部２３ａ、及び絶縁外皮２３ｂを同時に、シールド端子２３の内側に曲げて加締める。このとき、図５に示すように、加締用プレス型４１，４２が外部導体加締部２３ａ及び絶縁外皮２３ｂをそれぞれシールド端子２３の内側に曲げ、加締用プレス型４３が、絶縁部材加締部３４，３５をシールド端子２３の内側に曲げることになる。
【００２５】
ここで、シールド端子２３の内側に曲げられた絶縁部材加締部３４，３５は、図２に示すように、それぞれの先端部３４ａ，３５ａが絶縁部材２５の内部に食い込み、これにより絶縁部材２５が円筒部２３ｃ内に確実に固定されることになる。
【００２６】
以上説明したように、本実施形態によれば、コネクタ端子２０では、長手方向の、円筒部２３ｃの中間部に、一対のスリット３１，３２が円筒部２３ｃの周方向に沿って且つ長手方向で互いに離間するように形成され、一対のスリット３１，３２を長手方向に沿って架け渡すように切れ目部２３ｄが形成され、一対のスリット３１，３２及び切れ目部２３ｄにより円筒部２３ｃの中間部に絶縁部材加締部３４，３５が形成される。これにより、円筒部２３ｃに設けられた絶縁部材加締部３４，３５が、所定の工具により円筒部２３ｃの内側に曲げられ、絶縁部材２５の外周面の一部に食い込む。このため、シールド端子２３の円筒部２３ｃに装着される絶縁部材２５は、円筒部２３ｃ内に固定されることになる。
【００２７】
即ち、絶縁部材２５自体には、円筒部２３ｃからの抜け止めを防止するための段部を形成する必要なく、加えて、シールド端子２３の円筒部２３ｃにおいても、その内周面に係止片等を突出形成する必要がない。このため、絶縁部材２５の外周面に段部が不要になり、また、シールド端子２３の円筒部２３ｃの内周面に抜け止めを防止するため係止片を突設する必要もなくなり、これらの部品を径方向における形状変化の少ない簡素な構造にすることができるため、シールド端子２３の内部での誘電体や導体の径方向における形状変化に起因するインピーダンスの乱れを防止でき、高周波特性の向上を図ることができる。また、シールド端子２３及び絶縁部材２５を簡素な構造にできるため、これらの部品の加工や成形が容易になり、これらの部品の製造コストを低減させることもできる。
【００２８】
また、本実施形態によれば、シールド端子２３は、所定の形状を有した板材を内側に曲げることにより形成されており、切れ目部２３ｄは、この板材の両縁部に位置する側面が対峙する（合わさる）ように配置されることで形成される。このため、切れ目部２３ｄを新たに形成する必要がなくなり、即ち、プレス加工によりシールド端子２３を成形して、このとき形成される合わせ目（両側面が対峙配置される部分）を切れ目部として利用して、この合わせ目に交差するように一対のスリット３１，３２を形成するだけで、容易に絶縁部材加締部３４，３５を形成することができる。これにより、製造コストを低減することができる。
【００２９】
さらに、本実施形態に係るコネクタ端子２０の製造方法によれば、シールド端子２３の円筒部２３ｃに形成された絶縁部材加締部３４，３５の加締工程は、シールド端子２３の外部導体加締部２３ａ及び絶縁外皮加締分２３ｂを加締める際に同時に行うため、専用の加締工程を追加する必要がなくなる。したがって、製造工程が増えることがなく、生産性を向上させることができる。
【００３０】
なお、本発明に係るコネクタ端子によりコネクタ接続される電線は、前述した実施形態に示した同軸ケーブルに限るものではなく、例えば、中心導体の他にシールド用の外部導体を備える各種の同軸ケーブル１にも応用可能である。例えば、前述した実施形態では、その絶縁物と絶縁外皮とに介在する外部導体として編組を備えたものを説明したが、これに限らず、外部導体は、編組の外周にアルミニウム箔、銅箔、等といった金属箔を更に巻きつけたもの、或いは絶縁物の外周に巻きつけられたアルミニウム箔、銅箔、等といった金属箔を更に有するものであってもよい。また、同軸ケーブルは、編組の代わりにスパイラル状のシールド線を備えたものであってもよい。
【００３１】
また、本発明に係るコネクタ端子は、前述の実施形態に示したプラグ型に限るものではなく、ジャック又はレセプタクル型のものにも適用することができる。
【００３２】
さらに、前述した実施形態では、シールド端子が板部材から成形されるとしたが、これに限らず、例えば金型等にてそのまま所望の形状を得るようにしてもよく、この場合には、切れ目部を、例えば別途パンチ等を用いて形成するようにしてもよい。
【図面の簡単な説明】
【００３３】
【図１】本発明に係るシールド電線付きコネクタ端子の一実施の形態の斜視図である。
【図２】図１のＡ−Ａ断面図である。
【図３】図１に示したシールド端子の単体での側面図である。
【図４】図３のＢ矢視図である。
【図５】図１に示したシールド電線付きコネクタ端子の組み立て方法の説明図である。
【図６】従来のシールド電線付きコネクタ端子の構成を示す分解斜視図である。
【図７】図６に示したシールド電線付きコネクタ端子の組立状態の縦断面図である。
【符号の説明】
【００３４】
１      同軸ケーブル（シールド電線）
１１    中心導体（芯線）
１３    絶縁物（内部被覆）
１５    外部導体（シールド部材）
１７    絶縁外皮（外部被覆）
２０    コネクタ端子（シールド電線付きコネクタ端子）
２１    中心導体導通端子
２１ａ  中心導体加締部
２３    シールド端子
２３ａ  外部導体加締部（シールド部材加締部）
２３ｂ  絶縁外皮加締部（外部被覆加締部）
２３ｃ  円筒部
２３ｄ  切れ目部
２５    絶縁部材
２５ａ  貫通孔
３４，３５  絶縁部材加締部
【図１】
0005182923.tif 000002
【図２】
0005182923.tif 000003
【図３】
0005182923.tif 000004
【図４】
0005182923.tif 000005
【図５】
0005182923.tif 000006
【図６】
0005182923.tif 000007
【図７】
0005182923.tif 000008